(57)【要約】  本発明は、過負荷の場合に応答する熱断路装置の有無に関係なく少なくとも１つのタイプＩＩの過電圧アレスタからなる、過電圧保護装置の過負荷保護のための構成に関する。本発明によれば、可動接点を有しないスイッチングユニットは、少なくとも１つの過電圧アレスタと直列に接続されて構造的に組み合わされ、スイッチングユニットは、狭い距離に配置された少なくとも２つの固定スイッチング接点を有し、スイッチング接点の距離は、全てのサージ電流の場合または停止の場合に、アークが形成されたためにスイッチングデバイスが準閉状態になり、一方、アイドル状態では、接続された回路網の電圧がスイッチング装置で降下するように指定され、その結果、直列配置の過電圧アレスタが漏れ電流のない状態で維持される。【選択図】図１
2019519065.tif 000002
【特許請求の範囲】
【請求項１】
過電圧保護装置の過負荷保護のための構成であり、少なくとも１つのサージアレスタ（２）、特に過負荷の場合に応答する熱断路装置（３）の有無に関係なくタイプＩＩのサージアレスタ（２）からなる構成であって、
構造的に接続された前記少なくとも１つのサージアレスタ（２）は、可動接点がなく、少なくとも２つの固定された狭い間隔で離間したスイッチング接点（７、８）を備えるスイッチングユニット（６）と直列に接続され、前記個々のスイッチング接点（７、８）の間隔は、全てのサージ電流または放電プロセスの場合に、アークが形成された結果として前記スイッチングユニット（６）が準閉状態に変化するように特定され、アイドル状態では、直列に配置された前記サージアレスタ（２）が漏れ電流のない状態で、接続された主電源の電圧が前記スイッチングユニット（６）で降下することを特徴とする、構成。
【請求項２】
前記固定スイッチング接点（７、８）は、放電の際に発生するアークが定位置にとどまり、アーク降下電圧の上昇が排除されるように設計されることを特徴とする、請求項１に記載の構成。
【請求項３】
前記スイッチングユニット（６）は、配線続流のゼロ電流が流れた場合に開状態に変化するスイッチとして設計されることを特徴とする、請求項１または請求項２に記載の構成。
【請求項４】
前記サージアレスタは、バリスタとして、特に酸化金属バリスタ（ＭＯＶ）として具現化されることを特徴とする、請求項１から請求項３のいずれか一項に記載の構成。
【請求項５】
固定された離間接点（７、８）を有する前記スイッチングユニット（６）は、サージ電流が発生した場合に、前記アレスタ（２）を介して電流の準スイッチングプロセスをトリガすることができるように設計されることを特徴とする、請求項１から請求項４のいずれか一項に記載の構成。
【請求項６】
前記スイッチングユニット（６）における電力変換は、前記スイッチング接点（７、８）間のアーク電圧を制限することにより、各サージ電流動作に対して制限され得ることを特徴とする、請求項１から請求項５のいずれか一項に記載の構成。
【請求項７】
前記スイッチングユニット（６）は、小型化されたオープンスパークギャップとして形成されることを特徴とする、請求項１から請求項６のいずれか一項に記載の構成。
【請求項８】
前記過負荷インジケータは、前記スイッチングユニット（６）が過負荷状態になって、初めてサージアレスタを無効化または交換するためにトリガされたときに作動されることを特徴とする、請求項１から請求項７のいずれか一項に記載の構成。
【請求項９】
前記スイッチングユニット（６）の初期過負荷および作動時に、サージアレスタが無効化または破壊されることを特徴とする、請求項１から請求項７のいずれか一項に記載の構成。
【請求項１０】
直列接続部を備えるハウジング内に配置される過負荷保護ユニット（１）であって、前記直列接続部の２つの外部端子（４、５）が設けられる、請求項１から請求項９のいずれか一項に機作の過負荷保護ユニット（１）。
【発明の詳細な説明】
【技術分野】
【０００１】
本発明は、熱断路装置の有無に関係なく過負荷の場合に応答する少なくとも１つのサージアレスタからなる、請求項１に記載の過電圧保護装置の過負荷保護のための構成に関する。
【背景技術】
【０００２】
過電圧保護装置の過負荷保護のための構成は、特許文献１から公知である。
【０００３】
この構成は、少なくとも１つの電圧制限素子と、少なくとも１つの電圧スイッチング素子と、さらに代替の直列ヒューズとを備える。電圧制限素子はバリスタとして設計され、電圧スイッチング素子はスパークギャップとして設計され、これらの素子は直列に接続される。
【０００４】
さらに、許容できないパルス電流から電圧制限素子を保護するために、バイパスを形成する監視スパークギャップが直列接続部に対して並列に接続される。
【０００５】
さらに、経年劣化の影響を受けて、許容できない高い主システム電圧および／または低エネルギーの周期的な高周波パルスが監視スパークギャップおよび電圧スイッチング素子の両方をバイパスする温度監視装置が設けられ得る。この装置は、高パルス電流による過負荷からの保護を行うが、さらに電圧制限素子の許容できないほどの強い加熱からの保護を保証する。
【０００６】
特許文献２に従って一体型保護装置を有するサージアレスタには、少なくとも１つのバリスタと、バリスタと熱的に接触するＰＴＣ抵抗が設けられている。バリスタとＰＴＣ抵抗は、電気的に直列に接続されている。さらに、ＰＴＣ抵抗挙動を有するセラミックディスクは、サンドイッチ構造の２つのバリスタディスク間に配置され、前記素子は機械的かつ電気的に直接的に相互接続されている。このような保護装置は、特に、長い主電源の周波数の過電圧を防止するために使用される。
【０００７】
基本的には、本質的に安全な挙動を持つサージアレスタを作成する必要がある。これは、それぞれのサージアレスタが、ギャップおよび追加の外部過電流保護装置なしに、可能な回線周波数の予想される短絡回路電流の全範囲（例えば、０ｋＡ〜２５ｋＡ）にわたる内部故障状態と同様に、全ての過負荷ケースに対処できることを意味する。
【先行技術文献】
【特許文献】
【０００８】
【特許文献１】独国特許出願公開第１０２０１３０１９３９１（Ａ１）号
【特許文献２】独国特許出願公開第１０２００９００４３１８（Ａ１）号
【発明の概要】
【発明が解決しようとする課題】
【０００９】
上記の先行技術は、内部ヒューズまたは熱断路装置に基づいた技術である。このような手段では、故障または過負荷の場合に欠点が見られる。すなわち、中程度の短絡電流までの主要な漏れ電流の全範囲を確実にカバーすることはできない。
【００１０】
本質的に安全なサージアレスタの代替のスイッチング概念では、例えば、サージアレスタと過電圧保護装置の組み合わせでは、追加の外付け部品が必要となるが、そのうちのいくつかは非常にコストがかかり、追加の設置スペースが必要であり、かつ非常に複雑な設計が必要になる。さらに、多くの場合、所望の放電容量に対する効率の制限状態が存在する。
【課題を解決するための手段】
【００１１】
したがって、上記を鑑み、本発明の目的は、少なくとも１つのサージアレスタ、特に熱断路装置の有無に関係なくタイプＩＩのサージアレスタからなる過電圧保護装置の過負荷保護のための高度な構成であって、過負荷の場合に応答し、想定されるすべての過負荷および故障の場合に完全な調整を可能にすると同時に、保護機能を伴わない正常動作時の使用されるサージアレスタが、好ましくは経年劣化に関係する負荷に影響されないようにする構成を特定することである。
【００１２】
本発明の課題は、請求項１に記載の特徴の組合せに従った過電圧保護装置の過負荷保護のための構成によって解決され、従属請求項は、少なくとも適切な実施形態およびさらなる発展形態を表す。
【００１３】
例えば、酸化金属バリスタ（ＭＯＶ）として設計された少なくとも１つ、特に１つのタイプＩＩのサージアレスタを備えた本発明の過電圧保護装置の過負荷保護のための構成は、可動接点のない、構造的に接続されたスイッチングユニットを備える。
【００１４】
可動接点のないこのスイッチングユニットは、少なくとも１つのサージアレスタと直列に接続されている。
【００１５】
スイッチングユニットは、少なくとも２つの固定された狭い間隔で離間したスイッチング接点を備え、スイッチング接点の間隔は、あらゆるサージ電流または放電プロセスの場合に、スイッチングユニットが、発生したアークの結果として準閉状態に変化するように指定される。
【００１６】
しかしながら、アイドル状態では、直列に配置されたサージアレスタは電圧負荷がない状態で、したがって漏れ電流がなく、すなわち応力がなく、したがって経年劣化の影響を受けない状態で、接続された主電源の電圧がスイッチングユニットで降下する。
【００１７】
サージアレスタと特別なスイッチングユニットとの構造的に組み合わされた直列接続部は、全ての過負荷および故障の場合に、望ましい調整を提供する高度な過負荷保護部として、新しいユニットを形成する。それと同時に、この構成は、使用されるサージアレスタの保護特性の劣化を伴わないことを特徴とする。一方で、使用されるサージアレスタの定格電圧を低く選択することができ、保護挙動が改善される。
【００１８】
本発明の一実施形態では、固定スイッチング接点は、放電の際に発生するアークが静的な状態のままであり、アーク燃焼電圧の上昇がないように実現される。
【００１９】
固定スイッチング接点は、製造業者または出願人の側で接点間のギャップを指定または変更することは可能であるが、関連する接点を橋絡する電気導体を有する可動部品を備えない技術的解決策として理解されるべきである。
【００２０】
スイッチングユニットは、配線続流のゼロ電流通過の場合に開状態に変化するスイッチとして、直流電流使用および本発明のさらなる開発の両方に適合される。
【００２１】
サージアレスタの過負荷の場合、スイッチングユニットは既にアクティブであるため、発生する主電源の周波数の配線続流は遮断され、構成は破壊されない。
【００２２】
アイドル状態では、主電源電圧は、例えば、バリスタとして設計されたスイッチングユニットおよびサージアレスタより高い電圧に降下し、そのため主電源から切断されるので、通常動作時に漏れ電流が流れず、このことが、使用されるサージアレスタの耐用年数を伸ばす。この場合、熱的に作動する断路装置さえも省略することができる。
【００２３】
既に上述したように、サージアレスタはタイプＩＩのアレスタであり、特にバリスタとして構成され、ここでは、具体的には酸化金属バリスタ（ＭＯＶ）として実現される。
【００２４】
固定された離間接点を有するスイッチングユニットは、サージ電流の場合に、所望の保護機能を果たすアレスタを介して、電流フローを伴う準スイッチングプロセスがトリガされ得るように設計される。
【００２５】
放電プロセスが指定された通りに実行された場合に、断路ユニットは、主電源の続流消去のタスクから解放される。
【００２６】
スイッチングユニットにおける電力変換は、スイッチング接点間のアーク電圧降下を制限することによって、サージ電流動作中に制限され得る。これは、固定されたスイッチング接点にはごくわずかで無視できる程度のバーンオフまたは摩耗しかないことを意味する。
【００２７】
本発明の好適な実施形態では、スイッチングユニットは、小型化されたオープンなスパークギャップとして、またはそのようなスパークギャップの原理に従って形成される。
【００２８】
さらに、本発明によれば、直列配置の、スイッチングユニットとサージアレスタからなる過負荷保護ユニットであって、ハウジング内に配置された過負荷保護ユニットが設けられ、直列接続部の２つの外部端子がハウジングに設けられている。このユニットは、想定される全ての過負荷および誤動作のケースに適した、実際のサージアレスタとして使用され得る。上述した外部過電流保護装置および／またはサージアレスタを保護するための熱断路装置を省略することができる。
【００２９】
以下では、例示的な実施形態に基づいて、添付図面を参照しながら、本発明をより詳細に説明する。
【図面の簡単な説明】
【００３０】
【図１】スイッチングユニットと熱断路装置付きサージアレスタとからなる直列接続部を備える過負荷保護ユニットの概略図である。
【図２】過負荷の場合に応答する追加の熱断路装置を有さないタイプＩＩのサージアレスタを備えた図１の過負荷保護ユニットと同様の図である。
【発明を実施するための形態】
【００３１】
これらの図では、最初にユニット１が想定される。
共通のハウジングを特徴とするこのユニット１は、その内部にタイプＩＩのサージアレスタ２を備える。
【００３２】
このタイプＩＩのサージアレスタ２は、図１の実施形態の場合、それ自体知られている過負荷の場合に応答する熱断路装置３を有する。
【００３３】
さらに、ユニット１は外部端子４、５を備える。
【００３４】
タイプＩＩのサージアレスタは、スイッチングユニット６と直列に内部で接続されている。
【００３５】
スイッチングユニットは、２つの固定された非可動接点７、８を備える。
【００３６】
接点７、８は、近接して配置され、サージアレスタ２の接続部の一部とすることができる。
【００３７】
間隔は、どんなサージ電流または放電プロセスの場合にも、形成されたアークの結果として、スイッチングユニット６が準閉状態に変化するように選択される。
【００３８】
アイドル状態では、端子４、５に接続された主電源の電圧はスイッチングユニット６で降下し、直列に配置されたサージアレスタ２はリーク電流がなく、ひいては応力のない状態のままである。
【００３９】
スイッチングユニット６は、その機能に関して、ユニット１またはサージアレスタ２内の追加部品として一体化された小型のスパークギャップと比較され得る。
【００４０】
スイッチングユニット６の応答特性は、それぞれの放電プロセス中にも活性化されるように選択され、したがって、過負荷または誤動作の場合に電流側で閉じられるが、通常は受動的なままである。
【００４１】
スイッチングユニットは、サージ電流負荷が許容できない経年劣化または同様の影響をもたらさないように具現化される。
【００４２】
これは、サージ電流動作中に点火接点に残っている新たなアークによって達成され得る。
【００４３】
例示的な実施形態によれば、スイッチング接点７、８の間隔は、非常に小さくなるように選択される。このことは、アーク降下電圧の上昇を回避する。また、サージ電流負荷の場合には、２０Ｖから３０Ｖの範囲内のアーク電圧しか生じない。このような小さなアーク電圧は、新たなアークにおける小さな電力変換を伴うだけであり、スイッチング接点におけるバーンオフまたは摩耗を低減する。
【００４４】
図２の図面は、オープンなスイッチングユニットを介して主電源からサージアレスタ２が断線されるために、通常動作中にアレスタ２に漏れ電流が流れないことから、本実施形態の代替の形態である。このことにより、熱的に作動する断線装置が不要になる。スイッチングユニットが各放電動作中にアクティブであるという事実から、新たな主電源周波数配線続流は制限され、時間遅延なしに中断される可能性がある。この場合、サージ電流によって生成されたアークは、スイッチング接点間の領域から速やかに離れ、そのことによって延長および冷却されるので、アークのアーク電圧が上昇し、所望の残留電流制限が達成される。
【００４５】
機械式スイッチギヤとは異なり、スイッチングユニットは、バックアップ保護装置としてのスパークギャップに基づいて最初に接点を断路する必要がないので、接触式スイッチングデバイスの場合のような典型的なサージ電流の問題はない。スイッチングユニットは、接点７、８間の距離に位置する第３の接点によって半分トリガされ得る。
【００４６】
したがって、例えば、過負荷インジケータが実現可能である。
【図１】
2019519065.tif 000003
【図２】
2019519065.tif 000004
【国際調査報告】
2019519065.tif 000005
2019519065.tif 000006
2019519065.tif 000007
2019519065.tif 000008